(57)【要約】  【課題】 本発明は、予め複数枚の使い捨てラバースポンジ、又は布、又は樹脂、又は多孔質フィルムを湿布剤塗布器に取り付けておき、使用したラバースポンジ、又は布、又は樹脂、又は多孔質フィルムを順次取り外し、新たなラバースポンジ、又は布、又は樹脂、又は多孔質フィルムによって薬剤を皮膚に塗る湿布剤塗布器を提供するものである。【解決手段】  例えば、人の肌に塗布する鎮痛消炎湿布剤、又は鎮痒消炎湿布剤が収納され、既存のラバースポンジ、又は布、又は樹脂、又は多孔質フィルムが取り付けられた湿布剤塗布器であって、上記既存のラバースポンジ、又は布、又は樹脂に複数の使い捨てラバースポンジ、又は布、又は樹脂、又は多孔質フィルムが覆設されていることを特徴とする。【選択図】  図１
2014073141.tif 000002
【特許請求の範囲】
【請求項１】
人の肌に塗布する湿布剤が収納され、既存のラバースポンジ、又は布、又は樹脂が取り付けられた湿布剤塗布器において、
前記既存のラバースポンジ、又は布、又は樹脂に、複数の使い捨てラバースポンジ、又は布、又は樹脂、又は多孔質フィルムが覆設されていることを特徴とする湿布剤塗布器。
【請求項２】
前記既存のラバースポンジ、又は布、又は樹脂、又は多孔質フィルムは使い捨て部材取付部の先端に取り付けられ、前記複数の使い捨てラバースポンジ、又は布、又は樹脂、又は多孔質フィルムは、前記順次既存のラバースポンジを覆って、留具によって前記使い捨て部材取付部に取り付けられていることを特徴とする請求項１記載の湿布剤塗布器。
【請求項３】
前記使い捨てラバースポンジ、又は布、又は樹脂の取り付けは、該使い捨てラバースポンジ、又は布、又は樹脂、又は多孔質フィルムによって前記既存のラバースポンジ、又は布、又は樹脂を覆った後、前記留具を前記使い捨て部材取付部に嵌入し、弾性力又は圧接によって前記使い捨てラバースポンジ、又は布、又は樹脂、又は多孔質フィルムを前記使い捨て部材取付部に固定することを特徴とする請求項１、又は２に記載の湿布剤塗布器。
【請求項４】
前記交換用ラバースポンジは、メッシュ状のシートであり、該シートの四隅において輪ゴム状の留具に固定され、該留具を前記使い捨て部材取付部に嵌入することによって前記使い捨てラバースポンジが前記使い捨て部材取付部に固定されていることを特徴とする請求項１に記載の湿布剤塗布器。
【請求項５】
前記使い捨て部材取付部の周面には溝が形成され、該溝に前記留具が嵌入していることを特徴とする請求項４に記載の湿布剤塗布器。
【請求項６】
前記留具は、蓋付きであることを特徴とする請求項１、２、又３に記載の湿布剤塗布器。
【請求項７】
真ん中に形成され、所定サイズのメッシュを有するメッシュ部と、
該メッシュ部の外側に形成されたミシン目と、
前記メッシュ部とミシン目との間に設けられた突起と、
前記ミシン目の外側に位置する裾部と、を備える使い捨て部材であって、
前記突起を使用して、前記使い捨て部材を湿布剤塗布器に取り付けた後、前記ミシン目に沿って前記メッシュ部を前記使い捨て部材から切り離すことが可能であることを特徴とする使い捨て部材。
【請求項８】
前記使い捨て部材はラバースポンジ、又は布、又は樹脂、又は多孔質フィルムであることを特徴とする請求項７に記載の使い捨て部材。
【請求項９】
前記メッシュ部とミシン目との間隔は、重ね合わせる順番によって異なることを特徴とする請求項７、又は８に記載の使い捨て部材。
【請求項１０】
真ん中に形成され、所定サイズのメッシュを有するメッシュ部と、
該メッシュの直径方向に沿って所定長形成された切込みと、
前記メッシュ部の外側に位置する裾部と、を備える使い捨て部材であって、
前記切込みを使用して、前記使い捨て部材を湿布剤塗布器に取り付けた後、前記切込みに沿って前記メッシュを切り開くことを特徴とする使い捨て部材。
【請求項１１】
前記切込みは前記メッシュの裾部に形成されていることを特徴とする請求項１０に記載の使い捨て部材。
【請求項１２】
人の肌に塗布する湿布剤が収納され、既存のラバースポンジ、又は布、又は樹脂、又は多孔質フィルムが取り付けられた湿布剤塗布器において、
真ん中に形成され、所定サイズのメッシュを有するメッシュ部と、該メッシュ部の外側に形成されたミシン目と、前記メッシュ部とミシン目との間に設けられた突起と、前記ミシン目の外側に位置する裾部と、を備える使い捨て部材が複数枚重ねられ、留具によって使い捨て部材取付部に取り付けられていることを特徴とする湿布剤塗布器。
【請求項１３】
前記使い捨て部材は使い捨て部材取付部の先端に設けられた既存のラバースポンジ、又は布、又は樹脂、又は多孔質フィルムを覆って、留具によって前記使い捨て部材取付部に取り付けられていることを特徴とする請求項１２記載の湿布剤塗布器。
【請求項１４】
人の肌に塗布する湿布剤が収納され、既存のラバースポンジ、又は布、又は樹脂、又は多孔質フィルムが取り付けられた湿布剤塗布器において、
真ん中に形成され、所定サイズのメッシュを有するメッシュ部と、該メッシュの直径方向に沿って所定長形成された切込みと、前記メッシュ部の外側に位置する裾部と、を備える使い捨て部材が複数枚重ねられ、留具によって使い捨て部材取付部に取り付けられていることを特徴とする湿布剤塗布器。
【請求項１５】
前記使い捨て部材は使い捨て部材取付部の先端に設けられた既存のラバースポンジ、又は布、又は樹脂、又は多孔質フィルムを覆って、留具によって前記使い捨て部材取付部に取り付けられていることを特徴とする請求項１４記載の湿布剤塗布器。
【発明の詳細な説明】
【技術分野】
【０００１】
本発明は腰痛等の痛みを和らげる鎮痛消炎湿布剤や、虫さされ痒み止め等の鎮痒消炎湿布剤に使用する捨て交換用部材を複数枚取り付けた湿布剤塗布器、及び交換用ラバースポンジ、又は布、又は樹脂、又は多孔質フィルムに関する。
【背景技術】
【０００２】
今日、肩こり、腰痛、関節痛、打撲などの症状を和らげるため、鎮痛消炎湿布剤が使用されている。また、虫さされや痒み止め等の目的で鎮痒消炎湿布剤が使用されている。
【０００３】
上記鎮痛消炎湿布剤や鎮痒消炎湿布剤は、例えば瓶やプラスチック等の湿布剤塗布器に収納され、湿布剤塗布器の塗り口にラバースポンジが取り付けられている。そして、使い方としては、患部に直接塗る方法が通常行われている。すなわち、湿布剤塗布器の先端に取り付けられたラバースポンジ部分を皮膚に直接当て、容器を押圧することによってラバースポンジを介して薬剤を染み出させ、皮膚に塗る方法である。
【０００４】
尚、特許文献１は、皮膚への浸透性が強く、解熱、鎮痛 、消炎などの即効性にすぐれ、極めて短時間で解熱、鎮痛 、消炎などの効果が得られる湿布剤を開示する。
【先行技術文献】
【特許文献】
【０００５】
【特許文献１】特開平８−３１０９６２号公報
【発明の概要】
【発明が解決しようとする課題】
【０００６】
しかしながら、湿布剤塗布器を使用する場合、上記のようにラバースポンジを介して患部に直接塗る方法が行われている。このため、人によっては他人が使ったラバースポンジの使用を嫌う場合がある。
【０００７】
そこで、予め複数枚の使い捨てラバースポンジを湿布剤塗布器に取り付けておき、使用したラバースポンジを順次取り外し、新たなラバースポンジによって薬剤を皮膚に塗る湿布剤塗布器、及び交換用ラバースポンジ、又は布、又は樹脂、又は多孔質フィルムを提供するものである。
【課題を解決するための手段】
【０００８】
上記課題は本発明によれば、人の肌に塗布する湿布剤が収納され、既存のラバースポンジ、又は布、又は樹脂が取り付けられた湿布剤塗布器において、前記既存のラバースポンジ、又は布、又は樹脂に、複数の使い捨てラバースポンジ、又は布、又は樹脂、又は多孔質フィルムが覆設されている湿布剤塗布器を提供することによって達成できる。
また、上記既存のラバースポンジ、又は布、又は樹脂は使い捨て部材取付部の先端に取り付けられ、上記複数の使い捨てラバースポンジ、又は布、又は樹脂、又は多孔質フィルムは、順次既存のラバースポンジ、又は布、又は樹脂、又は多孔質フィルムを覆って、例えば留具を上記使い捨て部材取付部に圧入することによって、上記使い捨て部材取付部に取り付ける構成である。
また、上記使い捨てラバースポンジ、又は布、又は樹脂、又は多孔質フィルムはメッシュ状のシートであり、該シートの四隅において輪ゴム状の留具に固定され、該留具を上記使い捨て部材取付部の溝に嵌入することによって使い捨てラバースポンジ、又は布、又は樹脂、又は多孔質フィルムは留具の、例えば弾性力によって上記使い捨て部材取付部に固定される。
【０００９】
また、上記課題は本発明によれば、真ん中に形成され、所定サイズのメッシュを有するメッシュ部と、該メッシュ部の外側に形成されたミシン目と、前記メッシュ部とミシン目との間に設けられた突起と、前記ミシン目の外側に位置する裾部と、を備える使い捨て部材であって、前記突起を使用して、前記使い捨て部材を湿布剤塗布器に取り付けた後、前記ミシン目に沿って前記メッシュ部を前記使い捨て部材から切り離すことが可能である使い捨て部材を提供することによって達成できる。
【００１０】
さらに、上記課題は本発明によれば、真ん中に形成され、所定サイズのメッシュを有するメッシュ部と、該メッシュの直径方向に沿って所定長形成された切込みと、前記メッシュ部の外側に位置する裾部と、を備える使い捨て部材であって、前記切込みを使用して、前記使い捨て部材を湿布剤塗布器に取り付けた後、前記切込みに沿って前記メッシュを切り開く使い捨て部材を提供することによって達成できる。
【発明の効果】
【００１１】
本発明によれば、他人が使用する際、使用済みのラバースポンジ、又は布、又は樹脂、又は多孔質フィルムを取り外し、新しいラバースポンジ、又は布、又は樹脂、又は多孔質フィルムを使用して薬剤を肌に塗ることができ、人々の間で使用しても衛生上の問題がなく、しかも他人への貸し借りも躊躇なく行うことができる湿布剤塗布器、及び交換用ラバースポンジ、又は布、又は樹脂、又は多孔質フィルムを提供することができる。
【図面の簡単な説明】
【００１２】
【図１】本実施形態の使い捨てラバースポンジを取り付け、鎮痛消炎湿布剤を入れた湿布剤塗布器の外観図である。
【図２】第１の実施形態のラバースポンジ取付部の構成を示す図である。
【図３】使い捨てラバースポンジの例を示す図である。
【図４】使い捨てラバースポンジをラバースポンジ取付部に取り付ける例を示す図である。
【図５】最初の使い捨てラバースポンジが留具によってラバースポンジ取付部に覆設された状態を示す図である。
【図６】３枚の使い捨てラバースポンジがラバースポンジ取付部に覆設された状態を示す図である。
【図７】蓋が付いた留具の例を示す図である。
【図８】蓋付き留具をラバースポンジ取付部に取り付けた状態を示す図である。
【図９】（ａ）〜（ｅ）は第２の実施形態で使用する使い捨てラバースポンジの例を説明する図である。
【図１０】第２の実施形態で使用する使い捨てラバースポンジをラバースポンジ取付部に取り付けた状態を示す図である。
【図１１】（ａ）〜（ｅ）は第３の実施形態で使用する使い捨てラバースポンジの例を説明する図である。
【図１２】第３の実施形態で使用する使い捨てラバースポンジをラバースポンジ取付部に取り付けた状態を示す図である。
【図１３】第３の実施形態で使用する使い捨てラバースポンジを切り離す状態を説明する図である。
【図１４】（ａ）、（ｂ）は第４の実施形態を説明する図であり、留具の変形例を説明する図である。
【図１５】（ａ）は、第５の実施形態で使用する使い捨てラバースポンジの構成を説明する図であり、  （ｂ）は、使い捨てラバースポンジに輪ゴム等の弾性部材を取り付ける例を示す図である。
【図１６】第５の実施形態の使い捨てラバースポンジが留具によってラバースポンジ取付部に覆設された状態を示す図である。
【図１７】１枚目の使い捨てラバースポンジを既存のラバースポンジを覆って取り付けた状態を示す図である。
【発明を実施するための形態】
【００１３】
以下、本発明の実施形態を図面に基づいて詳細に説明する。
（第１の実施形態）
図１は本実施形態の使い捨てラバースポンジを取り付け、鎮痛消炎湿布剤２を入れた湿布剤塗布器１の例であり、プラスチック容器で構成されている。尚、湿布剤塗布器１内には、鎮痛消炎湿布剤に代えて鎮痒消炎湿布剤を収納する構成としてもよい。
【００１４】
同図において、湿布剤塗布器１は、鎮痛消炎湿布剤２を収納する収納部３とラバースポンジ取付部４で構成されている。また、ラバースポンジ取付部４には、後述する３枚の使い捨てのラバースポンジが取り付けられ、この使い捨てラバースポンジ及び後述する既存のラバースポンジを介して鎮痛消炎湿布剤２が吐出する。尚、同図に示すように、ラバースポンジ取付部４は湿布剤塗布器（プラスチック容器）１の収納部３に対して斜め上方に突き出した構造である。
【００１５】
次に、上記ラバースポンジ取付部４の構成について説明する。図２はラバースポンジ取付部４の構成を示す図であり、使い捨てラバースポンジが覆設されていない状態を示す図である。ラバースポンジ取付部４の先端には既存のラバースポンジ６が配設されており、この既存のラバースポンジ６に上記３枚の使い捨てラバースポンジ５ａ、５ｂ、５ｃが順次覆設されている。
【００１６】
図３は使い捨てラバースポンジ５ａ、５ｂ、５ｃの例であり、真ん中に所定の大きさのメッシュ部８を備える。このメッシュ部８は容器を押圧した際、内部の薬剤を染み出させる部分であり、例えば点線９で示すラインに沿って折しろが設けられている。また、使い捨てラバースポンジ５ａ、５ｂ、５ｃの裾部１０は、後述する留具によってラバースポンジ取付部４に固定される部分であり、使い捨てラバースポンジ５ａ、５ｂ、５ｃによって大きさが異なる。
【００１７】
図４は上記使い捨てラバースポンジ５ａ、５ｂ、５ｃをラバースポンジ取付部４に取り付ける例を示す図である。ラバースポンジ取付部４には、前述のように先端に既存のラバースポンジ６が配設されており、本例の湿布剤塗布器１は、既存のラバースポンジ６に上記使い捨てラバースポンジ５ａ、５ｂ、５ｃが覆設されている。
【００１８】
具体的には、最初の使い捨てラバースポンジ５ａが既存のラバースポンジ６を覆って留具１２ａによってラバースポンジ取付部４に覆設される。すなわち、図４に示すように、留具１２ａを矢印方向に圧入し、ラバースポンジ取付部４の先端に設けられた既存のラバースポンジ６を覆って、使い捨てラバースポンジ５ａがラバースポンジ取付部４に覆設されている。尚、図５は最初の使い捨てラバースポンジ５ａが留具１２ａによってラバースポンジ取付部４に覆設された状態を示す図である。
【００１９】
同様にして、使い捨てラバースポンジ５ｂ及び５ｃについてもラバースポンジ取付部４に覆設されている。図６は３枚の使い捨てラバースポンジ５ａ、５ｂ、５ｃがラバースポンジ取付部４に覆設された状態を示す図である。すなわち、使い捨てラバースポンジ５ｂは留具１２ｂによってラバースポンジ取付部４に取り付けられ、使い捨てラバースポンジ５ｃは留具１２ｃによってラバースポンジ取付部４に取り付けられている。
【００２０】
したがって、図６に示すラバースポンジ取付部４の先端のメッシュ８は使い捨てラバースポンジ５ｃのメッシュが視えており、その下には使い捨てラバースポンジ５ｂ、５ａ、更には既存のラバースポンジ６が配設されている。
【００２１】
したがって、本例の湿布剤塗布器１を使用する際、先ずラバースポンジ取付部４の最上位に取り付けられた使い捨てラバースポンジ５ｃが使用され、次に使用する人は留具１２ｃを外し、最上位の使い捨てラバースポンジ５ｃを捨て、新たな使い捨てラバースポンジ５ｂを使用して薬剤を肌に塗ることができる。このように使用することによって、他人の皮膚に直接触れたラバースポンジを使用することがなく、使用を躊躇させることもない。
【００２２】
また、後に同じ湿布剤塗布器１を使用して薬剤を自分の肌に塗る場合にも、更に新たな使い捨てラバースポンジ５ａを使用して塗ることができ、極めて有効な湿布剤塗布器１である。
【００２３】
尚、上記実施形態の説明では３枚の使い捨てラバースポンジ５ａ、５ｂ、５ｃが覆設された湿布剤塗布器１としたが、３枚に限らず更に多くの使い捨てラバースポンジを覆設した湿布剤塗布器１とすることもできる。
【００２４】
また、図７に示す蓋１３が付いた留具１２を使用する構成としてもよい。このように構成することにより、図８に示す湿布剤塗布器１とすることができ、必ず最上位の使い捨てラバースポンジの固定を蓋付きの留具１２とすることによって、衛生面において有効である。
【００２５】
（第２の実施形態）
次に、本発明の第２の実施形態について説明する。
上記第１の実施形態の説明では、使い捨てラバースポンジをそれぞれ対応する留具によって取り付けたが、本実施形態ではそれぞれの使い捨てラバースポンジにミシン目を設け、単一の留具によって複数枚の使い捨てラバースポンジを取り付け、以後使用する際、ミシン目を使用し、順次使用したラバースポンジを切り取る構成である。以下、具体的に説明する。
【００２６】
図９（ａ）は本実施形態で使用する使い捨てラバースポンジ２０ａの例であり、真ん中に所定の大きさのメッシュ部２１ａを備え、前述同様このメッシュ部２１ａは容器を押圧した際、内部の薬剤を染み出させる部分である。また、メッシュ部２１ａの外側には円形のミシン目２２ａが形成されている。さらに、メッシュ部２１ａとミシン目２２ａの間のラバースポンジ部２３ａには突起２４ａが形成され、この突起２４ａを摘み、例えば突起２４ａを上方に引っ張ることによって、ミシン目２２ａに沿ってメッシュ部２１ａを切り取ることができる。尚、同図（ａ）に示すミシン目２２ａより外側の裾部２５はラバースポンジで構成されている。
また、上記ミシン目２２ａの外側に形成された開口２７ａは、他のラバースポンジ２０ｂ〜２０ｅの後述する突起２４ｂ〜２４ｅを表出されるための構成である。
【００２７】
同様に、図９（ｂ）も本実施形態で使用する使い捨てラバースポンジ２０ｂの例であり、上記と同様真ん中に所定の大きさのメッシュ部２１ｂを備え、メッシュ部２１ｂの外側には円形のミシン目２２ｂが形成され、メッシュ部２１ｂとミシン目２２ｂの間のラバースポンジ部２３ｂには突起２４ｂが形成されている。但し、この使い捨てラバースポンジ２０ｂの場合、メッシュ部２１ｂの外側のミシン目２２ｂの形成位置は上記使い捨てラバースポンジ２０ａのミシン目２２ａの形成位置より外側に形成されている。
また、上記ミシン目２２ｂの外側に形成された開口２７ｂは、他のラバースポンジ２０ｃ〜２０ｅの後述する突起２４ｃ〜２４ｅを表出されるための構成である。
【００２８】
同様に、図９（ｃ）も本実施形態で使用する使い捨てラバースポンジ２０ｃの例であり、上記と同様真ん中に所定の大きさのメッシュ部２１ｃを備え、メッシュ部２１ｃの外側には円形のミシン目２２ｃが形成され、メッシュ部２１ｃとミシン目２２ｃの間のラバースポンジ部２３ｃには突起２４ｃが形成され、更にこの使い捨てラバースポンジ２０ｃの場合、メッシュ部２１ｃの外側のミシン目２２ｃの形成位置は上記使い捨てラバースポンジ２０ｂのミシン目２２ｂの形成位置より外側に形成されている。
また、上記ミシン目２２ｃの外側に形成された開口２７ｃは、他のラバースポンジ２０ｄ及び２０ｅの後述する突起２４ｄ及び２４ｅを表出されるための構成である。
【００２９】
以下、同様に使い捨てラバースポンジ２０ｄの場合も、同図（ｄ）に示すように所定の大きさのメッシュ部２１ｄ、円形のミシン目２２ｄ、突起２４ｄを備え、更にメッシュ部２１ｄの外側のミシン目２２ｄの形成位置が上記使い捨てラバースポンジ２０ｃのミシン目２２ｃの形成位置より外側に形成され、使い捨てラバースポンジ２０ｅの場合も、同図（ｅ）に示すように所定の大きさのメッシュ部２１ｅ、円形のミシン目２２ｅ、突起２４ｅが形成され、更にメッシュ部２１ｅの外側のミシン目２２eの形成位置が上記使い捨てラバースポンジ２０ｄのミシン目２２ｄの形成位置より外側に形成されている。
また、同図（ｄ）において、上記ミシン目２２ｄの外側に形成された開口２７ｄは、他のラバースポンジ２０ｅの後述する突起２４ｅを表出されるための構成である。
【００３０】
図１０は上記構成の使い捨てラバースポンジ２０ａ〜２０ｅを順次重ね、例えば留具２６によって前述のラバースポンジ取付部４に取り付けた状態を示す図である。この場合、ラバースポンジ取付部４の先端には、例えば使い捨てラバースポンジ２０ａが位置しており、その下には順次使い捨てラバースポンジ２０ｂ、２０ｃ、２０ｄ、２０ｅが配設されている。
尚、図１０において、ミシン目２２ａ〜２２ｅ等の構成を明確にするため、上記開口２７ａ〜２７ｄの表示は省略している。
【００３１】
したがって、本実施形態においても、先ずラバースポンジ取付部４の最上位に位置する使い捨てラバースポンジ２０ａが使用され、次に使用する人は留具２６を外すことなく、突起２４ａを摘み、例えば突起２４ａを引っ張ることによって、使い捨てラバースポンジ２０ａのメッシュ部２１ａがミシン目２２ａに沿って切り離され、新たな使い捨てラバースポンジ２０ｂを使用することができる。
【００３２】
同様にして、更に次の人が使用する場合には、使用した使い捨てラバースポンジ２０ｂの突起２４ｂを摘み、ミシン目２２ｂに沿ってメッシュ部２２ｂを切り離し、新たな使い捨てラバースポンジ２０ｃを使用することができる。
【００３３】
以後同様にして突起２４を使用してメッシュ部２１をミシン目２２に沿って切り離すことによって、新たな使い捨てラバースポンジ２０が表出し、他人の皮膚に直接触れたラバースポンジを使用することがなく、使用を躊躇させることもない。特に、本実施形態によれば、留具２６を外すことなく、新たな使い捨てラバースポンジ２０を使用して薬剤を塗ることができる。さらに、本実施形態の場合、単一の留具２６を使用するので、ラバースポンジ取付部４の長さを短くすることができる。
【００３４】
尚、上記実施形態において、使い捨てラバースポンジ２０ａ〜２０ｅを順次重ね、例えば留具２６によってラバースポンジ取付部４に取り付ける構成としたが、予め留具２６に５枚の使い捨てラバースポンジを貼着等の方法によって取り付け、留具２６を湿布剤塗布器１の先端に締着する構成としてもよい。この場合、湿布剤塗布器１に予め設けられている既存のラバースポンジを取り外し、上記使い捨てラバースポンジが予め取り付けられた留具２６を締着するようにしてもよい。
【００３５】
さらに、上記実施形態の説明では５枚の使い捨てラバースポンジ２０ａ〜２０ｅを使用する構成としたが、５枚に限らず更に多くの使い捨てラバースポンジを使用した湿布剤塗布器とすることもできる。
また、上記実施形態の説明では各ラバースポンジ２０ａ〜２０ｅにミシン目を形成したが、留具２６の外周に沿ってラバースポンジ２０ａ〜２０ｅの切断が可能であれば、必ずしもミシン目を形成する必要はない。
【００３６】
（第３の実施形態）
次に、本発明の第３の実施形態について説明する。
本実施形態は上記第２の実施形態同様、単一の留具を使用する構成であるが、使い捨てラバースポンジの構成が上記第２の実施形態と異なる。以下、具体的に説明する。
【００３７】
図１１（ａ）は本実施形態で使用する使い捨てラバースポンジ３０ａの例であり、前述と同様、真ん中に所定の大きさのメッシュ部３１ａを備え、前述同様このメッシュ部３１ａは容器を押圧した際、内部の薬剤を染み出させる部分である。また、メッシュ部３１ａの一部に切れ目３２ａが形成されている。この切れ目３２ａは同図（ａ）に示すように、メッシュ部３１ａの周縁部に直径方向に形成されている。この切れ目３２ａの長さは、例えばメッシュ部３１ａの直径の１／５〜１／１０程度であり、しかも周縁部に形成されている為薬剤を塗る際支障にならない長さに形成されている。尚、同図（ａ）に示す裾部３３はラバースポンジで構成されている。
【００３８】
同様に、図１１（ｂ）も本実施形態で使用する使い捨てラバースポンジ３０ｂの例であり、上記と同様真ん中に所定の大きさのメッシュ部３１ｂを備え、メッシュ部３１ｂの一部に切れ目３２ｂが形成されている。この切れ目３２ｂも同図（ｂ）に示すように、メッシュ部３１ｂの周縁部に直径方向に形成され、上記使い捨てラバースポンジ３０ａと異なる位置に形成されている。具体的には使い捨てラバースポンジ３１ａのメッシュ部３２ａに形成された切れ目３２ａに対して１８０°異なる位置に形成されている。
【００３９】
同様に、図１１（ｃ）も本実施形態で使用する使い捨てラバースポンジ３０ｃの例であり、上記と同様真ん中に所定の大きさのメッシュ部３１ｃを備え、メッシュ部３１ｃの一部に切れ目３２ｃが形成されている。この切れ目３２ｃも同図（ｃ）に示すように、メッシュ部３１ｂの周縁部に直径方向に形成され、上記使い捨てラバースポンジ３０ａや３０ｂと異なる位置に形成されている。具体的にはメッシュ部３２ａ及び３２ｂに形成された切れ目３２ａ、３２ｂに対して９０°異なる位置に形成されている。
【００４０】
同様に、図１１（ｄ）も本実施形態で使用する使い捨てラバースポンジ３０ｄの例であり、上記と同様真ん中に所定の大きさのメッシュ部３１ｄを備え、メッシュ部３１ｄの一部に切れ目３２ｄが形成されている。この切れ目３２ｄも同図（ｄ）に示すように、メッシュ部３１ｄの周縁部に直径方向に形成され、上記使い捨てラバースポンジ３０ａ等と異なる位置に形成されている。具体的には、使い捨てラバースポンジ３１ｃのメッシュ部３２ｃに形成された切れ目３２ｃに対して１８０°異なる位置に形成されている。
【００４１】
さらに、使い捨てラバースポンジ３０ｅについても、同図（ｅ）に示すように所定の大きさのメッシュ部３１ｅを備え、メッシュ部３１ｅの一部に切れ目３２ｅが形成され、メッシュ部３１ｅの切れ目３２ｅの位置は、使い捨てラバースポンジ３１ａのメッシュ部３２ａに形成された切れ目３２ａと同じ位置に形成されている。
【００４２】
図１２は上記構成の使い捨てラバースポンジ３０ａ〜３０ｅを順次重ね、例えば留具３４によって前述のラバースポンジ取付部４に取り付けた状態を示す図である。この場合、ラバースポンジ取付部４の先端には、例えば使い捨てラバースポンジ３０ａが位置し、その下には順次使い捨てラバースポンジ３０ｂ、３０ｃ、３０ｄ、３０ｅが配設されている。
【００４３】
この状態で、先ずラバースポンジ取付部４の最上位に位置する使い捨てラバースポンジ３０ａが使用され、次に使用する人は留具３４を外すことなく、図１３に示すように、切れ目３２ａを指３５で摘み、メッシュ部３１ａを引き裂くことによって下のメッシュ部３１ｂを表出することができる。尚、図１３に示す状態は、片手の指３５で切れ目３２ａを摘んでいるが、例えば両手の指で切れ目３２ａの左右を摘むことによって、容易にメッシュ部３１ａを引き裂くことができる。さらに、切れ目３２ａの延長線上のメッシュ部３１ａを切断し易いように形成することによって、より確実にメッシュ部３１ａを表出させることができる。例えば、切れ目３２ａの延長線上のメッシュ部３１ａのラバーを薄く形成する等の加工を施すことが考えられる。
【００４４】
このようにして、メッシュ部３１ａが切り開かれ、新たな使い捨てラバースポンジ３０ｂのメッシュ部３１ｂを表出させることができ、新たな使い捨てラバースポンジ３０ｂを使用して薬剤を肌に塗ることができる。
【００４５】
同様にして、更に次の人が使用する場合にも、使用した使い捨てラバースポンジ３０ｂの切れ目３２ｂを使用してメッシュ部３１ｂを切り開き、新たな使い捨てラバースポンジ３０ｃを使用するができる。また、切り開いた使い捨てラバースポンジ３０ａや３０ｂのメッシュ部３１ａ、３１ｂがラバースポンジ取付部４の先端に残るが、例えば切り開いたメッシュ部３１ａや３１ｂの部分を引っ張ることによって、メッシュ部３１ａや３１ｂの縁部が留具３４に沿って切れ、残ったメッシュ部３１ａや３１ｂを切り離すことができる。
【００４６】
尚、前述の第２実施形態で説明したように、メッシュ部３２の外側にミシン目を形成するようにしてもよく、このようにすればミシン目によって上記残ったメッシュ部３１ａや３１ｂを容易に切り離すことができる。
【００４７】
したがって、本実施形態によっても、他人の皮膚に直接触れたラバースポンジを使用することがなく、使用を躊躇させることもない。特に、本実施形態においても、留具３４を外す必要がなく、新たな使い捨てラバースポンジを使用して薬剤を塗ることができる。さらに、本実施形態においても、単一の留具３４を使用するので、ラバースポンジ取付部４の長さを短くすることができる。
【００４８】
上記実施形態においても、使い捨てラバースポンジ３０ａ〜３０ｅを順次重ね、例えば留具３４によってラバースポンジ取付部４に取り付ける構成としたが、予め留具３４に５枚の使い捨てラバースポンジを貼着等の方法によって取り付け、留具３４を湿布剤塗布器１の先端に締着する構成としてもよい。この場合も、湿布剤塗布器１に予め設けられている既存のラバースポンジを取り外し、上記使い捨てラバースポンジが予め取り付けられた留具３４を締着するようにしてもよい。
【００４９】
また、上記実施形態の説明においても、５枚の使い捨てラバースポンジ３０ａ〜３０ｅを使用する構成としたが、５枚に限らず更に多くの使い捨てラバースポンジを使用した湿布剤塗布器とすることもできる。
【００５０】
（第４の実施形態）
次に、本発明の第４の実施形態について説明する。
本実施形態は上記第２及び第３の実施形態において使用する留具２６又は３４を改良するものである。以下、具体的に説明する。
【００５１】
図１４（ａ）は、本実施形態の留具３７の構成を示す図である。留具３７は円形の上記留具２６や３４の一部が削除された構成であり、本例の留具３７は金属や樹脂等の材料で構成されている。また、留具３７の端部３７ａ、３７ｂ間の距離は前述のラバースポンジ取付部４の直径より短く設定され、更に留具３７の内径はラバースポンジ取付部４の外径より狭く設定されている。したがって、使い捨てラバースポンジ２０ａ〜２０ｅ、又は３０ａ〜３０ｅをラバースポンジ取付部４にセットした後、留具３７をラバースポンジ取付部４に嵌入すると、同図（ａ）に示す矢印ａ方向に広がり、嵌入後、留具３７は圧接力によって上記使い捨てラバースポンジをラバースポンジ取付部４に固定することができる。
【００５２】
一方、図１４（ｂ）は、本実施形態の変形例の留具３８の構成を示す図である。留具３８は円形であり、部材３８ａと３８ｂで構成されている。部材３８ａは上記留具３７と同様、金属や樹脂で構成され、部材３８ｂはゴム等の弾性部材で構成されている。したがって、上記と同様使い捨てラバースポンジ２０ａ〜２０ｅ、又は３０ａ〜３０ｅをラバースポンジ取付部４にセットした後、留具３８をラバースポンジ取付部４の先端方向から環入すると、環入後、留具３８は部材３８ｂの弾性力によって上記使い捨てラバースポンジをラバースポンジ取付部４に固定することができる。
【００５３】
（第５の実施形態）
次に、本発明の第５の実施形態について説明する。
尚、この実施形態において、鎮痛消炎湿布剤２を入れた湿布剤塗布器１の基本構成、即ち湿布剤塗布器１が鎮痛消炎湿布剤２を収納する収納部３とラバースポンジ取付部４で構成され、鎮痛消炎湿布剤２に代えて鎮痒消炎湿布剤を収納する構成としてもよい点については前述の第１の実施形態と同様である。本例の湿布剤塗布器１はラバースポンジ取付部４の構成が異なる。以下、具体的に説明する。
【００５４】
図１５（ａ）は本例の使い捨てラバースポンジの構成を説明する図である。同図（ａ）に示すように、本例の使い捨てラバースポンジ１４は全面がメッシュ構成であり、例えば四隅１４´に輪ゴム等の弾性部材１５が取り付けられた構成である。具体的には、輪ゴム等の弾性部材１５は使い捨てラバースポンジ１４の四隅１４´に、同図（ｂ）に示すように、取り付けられている。
【００５５】
図１６は本例のラバースポンジ取付部１６の構成を示す図であり、使い捨てラバースポンジが覆設されていない状態を示す図であり、前述と同様ラバースポンジ取付部１６の先端には既存のラバースポンジ６が設けられている。
【００５６】
本例の場合、輪ゴム等の弾性部材１５を使用するため、ラバースポンジ取付部１６の周面には一定間隔で溝１７ａ、１７ｂ、・・が形成され、この溝１７ａ、１７ｂ、・・に輪ゴム等の弾性部材１５が嵌入されている。
【００５７】
図１７は１枚目の使い捨てラバースポンジ１４ａを既存のラバースポンジ６を覆って取り付けた状態を示す図であり、輪ゴム等の弾性部材１５が溝１７ａに嵌入し、使い捨てラバースポンジ１４ａがラバースポンジ取付部１６に取り付けられている。図示しないが、同様にして２枚目、３枚目、・・の使い捨てラバースポンジ１４ｂ、１４ｃ、・・が順次ラバースポンジ取付部１６に取り付けられ、溝１７ｂ、１７ｃ、・・に対応する輪ゴム等の弾性部材１５が嵌入している。
【００５８】
したがって、本例の湿布剤塗布器１を使用する際、例えば４枚の使い捨てラバースポンジ１４ａ〜１４ｄが取り付けられている場合、先ずラバースポンジ取付部１６の最上位に取り付けられた使い捨てラバースポンジ１５ｄが使用され、次に使用する人は輪ゴム等の弾性部材１５を溝１７ｄから外し、最上位の使い捨てラバースポンジ１４ｄを捨て、新たな使い捨てラバースポンジ１４ｄを使用して薬剤を肌に塗ることができる。
【００５９】
以後同様に、使い捨てラバースポンジ１４ｃ、１４ｂ、１４ａを順次使用することができ、他人の皮膚に直接触れたラバースポンジを使用することがなく、使用を躊躇させることもない。
【００６０】
尚、上記実施形態の説明では４枚の使い捨てラバースポンジ１４ａ〜１４ｄを使用する湿布剤塗布器１としたが、４枚に限らず更に多くの使い捨てラバースポンジを覆設した湿布剤塗布器１とすることもできる。
【００６１】
このような構成により、例えばキャンプや旅行等において、交換用のラバースポンジを携帯する必要がなく、本体を持ち運ぶだけで多くの人が使用することができる湿布剤塗布器１を実現することができる。
【００６２】
以上、第１乃至第５の実施形態について説明したが、上記何れの実施形態の説明においても湿布剤塗布器１にラバースポンジ取付部４を設け、ラバースポンジ取付部４に使い捨てラバースポンジを取り付ける構成としたが、本発明の湿布剤塗布器１は使い捨てラバースポンジに限らず、ラバースポンジに代えて、布や樹脂を使用する構成としてもよい。
【００６３】
この場合、ラバースポンジ取付部４に取り付ける使い捨てラバースポンジとしては、例えば天然ゴムや合成ゴムを使用することができ、合成ゴムとしてはクロロプレンゴムやエチレンプロピレンゴム、シリコンゴム等の各種合成ゴムを使用することができる。
【００６４】
また、布を使用する場合には、上記ラバースポンジ取付部４は、例えば使い捨て布取付部の名称となり、布材としては綿や、絹、麻等の天然素材や合成繊維を使用し、織布、不織布に限定されることなく使用することができる。尚、布を使用する場合、織り方にもよるが、特にメッシュ部を設けない構成とすることもできる。例えば、メッシュ部を設けなくとも必要な薬剤が塗布できれば、メッシュ部を設ける必要はない。
また、樹脂を使用する場合には、上記ラバースポンジ取付部４は、例えば使い捨て樹脂取付部の名称となり、ポリエチレンやポリアミド等の熱可塑性樹脂に限らず、フェノール樹脂やエポキシ樹脂等の熱硬化性樹脂を使用することができる。
さらに、多孔質フィルムを使用する場合には、上記ラバースポンジ取付部４は、例えば使い捨て多孔質フィルム取付部の名称となり、ポリプロピレン系多孔質フィルム、ポリオレフィン系多孔質フィルム、更には三次元多孔質フィルム等の各種の多孔質フィルムを使用することができる。
【符号の説明】
【００６５】
１・・・湿布剤塗布器
２・・・鎮痛消炎湿布剤
３・・・収納部
４・・・ラバースポンジ取付部
５ａ、５ｂ、５ｃ・・使い捨てラバースポンジ
６・・・既存のラバースポンジ
８・・・メッシュ部
９・・・点線
１０・・裾部
１１・・実線
１２ａ、１２ｂ、１２ｃ・・留具
１３・・蓋
１４、１４ａ、１４ｂ、１４ｃ・・使い捨てラバースポンジ
１４´・・四隅
１５・・輪ゴム等の弾性部材
１６・・ラバースポンジ取付部
１７ａ、１７ｂ、１７ｃ・・溝
２０ａ、２０ｂ、２０ｃ、２０ｄ、２０ｅ・・ラバースポンジ
２１ａ、２１ｂ、２１ｃ、２１ｄ、２１ｅ・・メッシュ部
２２ａ、２２ｂ、２２ｃ、２２ｄ、２２ｅ・・ミン目
２３ａ、２３ｂ、２３ｃ、２３ｄ、２３ｅ・・ラバースポンジ部
２４ａ、２４ｂ、２４ｃ、２４ｄ、２４ｅ・・突起
２５・・裾部
２６・・留具
３０ａ、３０ｂ、３０ｃ、３０ｄ、３０ｅ・・ラバースポンジ
３１ａ、３１ｂ、３１ｃ、３１ｄ、３１ｅ・・メッシュ部
３２ａ、３２ｂ、３２ｃ、３２ｄ、３２ｅ・・切れ目
３３・・裾部
３４・・留具
３７・・留具
３７ａ、３７ｂ・・端部
３８・・留具
３８ａ、３８ｂ・・部材
【図１】
2014073141.tif 000003
【図２】
2014073141.tif 000004
【図３】
2014073141.tif 000005
【図４】
2014073141.tif 000006
【図５】
2014073141.tif 000007
【図６】
2014073141.tif 000008
【図７】
2014073141.tif 000009
【図８】
2014073141.tif 000010
【図９】
2014073141.tif 000011
【図１０】
2014073141.tif 000012
【図１１】
2014073141.tif 000013
【図１２】
2014073141.tif 000014
【図１３】
2014073141.tif 000015
【図１４】
2014073141.tif 000016
【図１５】
2014073141.tif 000017
【図１６】
2014073141.tif 000018
【図１７】
2014073141.tif 000019
【手続補正書】
【提出日】平成26年1月5日(2014.1.5)
【手続補正１】
【補正対象書類名】特許請求の範囲
【補正対象項目名】全文
【補正方法】変更
【補正の内容】
【特許請求の範囲】
【請求項１】
人の肌に塗布する湿布剤(2)が収納された収納部(3)と、
該収納部に対して斜め上方に突き出し、前記湿布剤が吐出する第１のラバースポンジ(6)が先端に固設された取付部(4)と、
該取付部の外径に沿って圧入された第１の留具(12a)と、
該第１の留具と前記取付部の外径間に周縁部が介装され、中央部が前記第１のラバースポンジ(6)を含む前記取付部(4)の先端を覆う第２のラバースポンジ(5a)、又は第１の布(5a)、又は第１の樹脂(5a)、又は第１の多孔質フィルム(5a)と、
前記取付部の外径に沿って圧入された第２の留具(12b)と、
該第２の留具と前記第２のラバースポンジ(5a)、又は第１の布、又は第１の樹脂、又は第１の多孔質フィルム間に周縁部が介装され、中央部が前記第２のラバースポンジ(5a)を含む前記取付部(4)の先端を覆う第３のラバースポンジ(5b)、又は第２の布(5b)、又は第２の樹脂(5b)、又は第２の多孔質フィルム(5b)と、
を有することを特徴とする湿布剤塗布器(1)。
【手続補正２】
【補正対象書類名】明細書
【補正対象項目名】０００８
【補正方法】変更
【補正の内容】
【０００８】
上記課題は本発明によれば、人の肌に塗布する湿布剤が収納された収納部と、該収納部に対して斜め上方に突き出し、前記湿布剤が吐出する第１のラバースポンジが先端に固設された取付部と、該取付部の外径に沿って圧入された第１の留具と、該第１の留具と前記取付部の外径間に周縁部が介装され、中央部が前記第１のラバースポンジを含む前記取付部の先端を覆う第２のラバースポンジ、又は第１の布、又は第１の樹脂、又は第１の多孔質フィルムと、前記取付部の外径に沿って圧入された第２の留具と、該第２の留具と前記第２のラバースポンジ、又は第１の布、又は第１の樹脂、又は第１の多孔質フィルム間に周縁部が介装され、中央部が前記第２のラバースポンジを含む前記取付部の先端を覆う第３のラバースポンジ、又は第２の布、又は第２の樹脂、又は第２の多孔質フィルムと、を有する湿布剤塗布器を提供することによって達成できる。
また、上記既存のラバースポンジ、又は布、又は樹脂は使い捨て部材取付部の先端に取り付けられ、上記複数の使い捨てラバースポンジ、又は布、又は樹脂は、順次既存のラバースポンジ、又は布、又は樹脂を覆って、例えば留具を上記使い捨て部材取付部に圧入することによって、上記使い捨て部材取付部に取り付ける構成である。
また、上記使い捨てラバースポンジ、又は布、又は樹脂はメッシュ状のシートであり、該シートの四隅において輪ゴム状の留具に固定され、該留具を上記使い捨て部材取付部の溝に嵌入することによって使い捨てラバースポンジ、又は布、又は樹脂は留具の、例えば弾性力によって上記使い捨て部材取付部に固定される。